(57)【要約】【課題】釣竿や玉網の柄の運搬を容易にするトップカバーを提供する。【解決手段】このトップカバー１は、穂先側端面が閉塞される蓋付き円筒型の本体部２と、本体部２の竿元側の開口周縁の一部が竿元側に軸方向に延伸してなる延伸部３と、延伸部３に配置されるゴムバンド４と、本体部２の側面に取り付けられた連結部５とを有している。釣竿Ｒ等にトップカバー１を取り付けた後、２つのトップカバー１を連結部５を介して連結し、まとめて複数の釣竿Ｒなどを運搬する。【選択図】      図１
2004329052.tif 000002
【特許請求の範囲】
【請求項１】
複数の筒状体が振出形式で連結されてなる釣竿若しくは玉網の柄の先端側に取り付けられるトップカバーであって、
前記複数の筒状体の先端側を内部に収納可能な蓋付円筒型の本体部と、
前記本体部の開口側に前記本体部の軸長方向に突出して設けられた延伸部と、
前記延伸部に設けられた固定手段と、
前記本体部の側面に配置された連結部とを備えたトップカバー。
【請求項２】
前記連結部は、前記本体部の側面に軸長方向に延びる平面に配置される面ファスナである、請求項１に記載のトップカバー。
【請求項３】
前記連結部は、前記本体部に周方向に巻き付け可能な紐部材である、請求項１に記載のトップカバー。
【請求項４】
複数の筒状体が振出形式で連結されてなる釣竿若しくは玉網の柄の先端側に取り付けられる一対のトップカバーからなるトップカバー群であって、
前記トップカバーは、それぞれ、前記複数の筒状体の先端側を内部に収納可能な蓋付円筒型の本体部と、前記本体部の開口側に前記本体部の軸長方向に突出して設けられた延伸部と、前記延伸部に設けられた固定手段と、前記本体部の側面に配置された連結部とを備え、
前記トップカバー群の一方のトップカバーの連結部は、前記本体部の側面に於いて軸長方向に延びるクリップであり、前記他方のトップカバーの連結部は、前記クリッブを挿着可能な受け部である、トップカバー群。
【発明の詳細な説明】
【０００１】
【発明の属する技術分野】
本発明は、複数の筒状体である竿体が振出形式で連結されて構成されている釣竿の穂先側、若しくは、複数の筒状体を振出形式に連結して構成される玉網の柄の先端側に取り付けるトップカバーに関する。
【０００２】
【従来の技術】
釣竿は一般に複数の竿体を連結して一本の釣竿となっている。そして、このような竿体の連結手法には、振出形式と呼ばれるタイプがある。このタイプの釣竿は、竿元側に配置される筒状の竿体と、その穂先側に順次竿元側の竿体内に収納可能なように連結される筒状の竿体とから構成されている。釣人は、使用時には順次穂先側に位置する竿体を竿元側の竿体内部から引き出して連結して一本の釣竿として用いる。一方、収納時には、穂先側の竿体を順次竿元側の竿体内部に挿入して収納し、短くコンパクトな状態とする。
【０００３】
このように短くコンパクトな状態に収納した際に竿元側の大径の竿体内に収納した他の竿体が穂先側に飛び出してしまわないように、竿元側の大径の竿体の穂先側端部にはトップカバーが取り付けられることが多い。これまでにも多くのトップカバーが提供さえており、例えば、ある種のトップカバーは、竿元側端部が開口した蓋付き円筒型の本体部と、その竿元側の開口周縁の一部分が竿元側に延伸してなる延伸部と、この延伸部に連結されたゴムバンドとを有している（例えば、特許文献１，特許文献２参照）。そして、内部に他の竿体を収納した竿元側の竿体の穂先側端部を本体部内に挿入し、ゴム帯を竿体周面に巻き付けてトップカバーは竿体に固定される。こうして、トップカバーは、大径の竿体内に収納した他の竿体が穂先側に飛び出してしまうのを防止すると共に竿体の穂先側端面の損傷も防止するのである。
【０００４】
【特許文献１】
特開平１０−１５５３９５号公報
【０００５】
【特許文献２】
特開２０００−１０６７９６号公報
【０００６】
【発明が解決しようとする課題】
ところで、魚釣りに出かける際に、釣人は１つの釣竿のみではなく複数の釣竿を用意することも多い。このような複数の釣竿をまとめて運搬するために、ロッドケースと呼ばれる釣竿用の収納ケースも提供されている。
しかし、釣竿用の収納ケース内に複数の釣竿を収納して運搬する場合、ケース内で釣竿が動いて、釣竿同士が接触することも多い。釣竿には釣糸ガイドやリールなどの付属品が装着されているので、釣竿同士が接触すると相互に傷つけあうことになる恐れもある。
【０００７】
また、２本程度の釣竿若しくは、釣竿と玉網とを用意して釣りに出かける場合、わざわざ釣竿用の収納ケースを利用しない場合もある。このような場合にも、釣竿等をまとめて運搬できれば便利である。
本発明の課題は、釣竿などの運搬にも便利なトップカバーを提供することにある。
【０００８】
【課題を解決するための手段】
本発明のトップカバーは、複数の筒状体が振出形式で連結されてなる釣竿若しくは玉網の柄の先端側に取り付けられるトップカバーであって、複数の筒状体の先端側を内部に収納可能な蓋付円筒型の本体部と、本体部の開口側に本体部の軸長方向に突出して設けられた延伸部と、延伸部に設けられた固定手段と、本体部の側面に配置された連結部とを備える。
【０００９】
このトップカバーは、釣竿や玉網の柄を構成する各筒状体を最も手元側に位置する筒状体内に順次収納した上で、その最も手元側に位置する筒状体の先端側を本体部内に挿入し、延伸部の固定手段で筒状体にトップカバーを固定して用いられる。そして、このトップカバーは、収納されている各筒状体が先端側に飛び出してしまうのを防止し、また損傷も防止している。
【００１０】
このように釣竿や玉網の柄にトップカバーを装着した後において、釣人が必要に応じて、釣竿や玉網の柄に取り付けたトップカバー同士を連結部において連結する。トップカバー同士を連結することで、釣竿や玉網の柄をまとめて持ち運ぶことが容易になる。また、トップカバーは汎用性が高く、釣竿等の種類に関わらず、各種釣竿などに装着することで、釣竿同士を容易に連結しまとめることが可能となる。
【００１１】
この連結部は、例えば、本体部の側面に軸長方向に延びる平面に配置される面ファスナである。本体部の側面同士を面ファスナで容易に連結できる。また、連結部は、本体部に周方向に巻き付け可能な紐部材でもよい。複数のトップカバーの本体部同士を紐部材で巻き付けあって、容易に両者を連結できる。
また、本発明のトップカバー群は、複数の筒状体が振出形式で連結されてなる釣竿若しくは玉網の柄の先端側に取り付けられる一対のトップカバーからなるトップカバー群である。このトップカバーを構成するトップカバーは、それぞれ、複数の筒状体の先端側を内部に収納可能な蓋付円筒型の本体部と、本体部の開口側に前記本体部の軸長方向に突出して設けられた延伸部と、延伸部に設けられた固定手段と、本体部の側面に配置された連結部とを備える。そして、このトップカバー群の一方のトップカバーの連結部は、本体部の側面に於いて軸長方向に延びるクリップであり、他方のトップカバーの連結部は、クリッブを挿着可能な受け部である。
【００１２】
上述のように、釣竿又は玉網の柄の先端側に各トップカバーを取り付けた後、一方のトップカバーのクリップを他方のトップカバーの受け部に挿入して装着し、両者を連結する。
【００１３】
【発明の実施の形態】
［第１実施形態］
以下、本発明の第１実施形態について図面を参照しつつ説明する。
図１に示すように、本発明の第１実施形態を採用したトップカバー１は、釣竿Ｒの穂先側に装着されるカバーである。釣竿Ｒは、元竿Ｒ１と、元竿Ｒ１の穂先側に連結される複数の竿体Ｒ２を有している。これら元竿Ｒ１や竿体Ｒ２は炭素繊維またはガラス繊維，チラノ繊維等に合成樹脂を含浸させたプリプレグから形成される先細り筒状体である。これらは、穂先側に位置する小径の各竿体が順次竿元側に位置する竿体内に収納自在に連結されており（いわゆる振出形式）、最終的に、最も竿元側に位置する元竿Ｒ１の内部に各竿体Ｒ２が収納される。また、各竿体Ｒ２の周面には、その周面を軸方向に移動自在且つ任意の箇所に固定可能なスライド式釣糸ガイド等が取り付けられている。各竿体Ｒ２の収納時には、スライド式釣糸ガイドは穂先側にスライド移動し、各竿体Ｒ２がその一部を穂先側に突出させた状態で、最終的に元竿Ｒ１内に収納されている。
【００１４】
このような釣竿において、順次各竿体Ｒ２を元竿Ｒ１内に収納した上で、元竿Ｒ１の穂先側にトップカバー１が取り付けられている。
このトップカバー１は、穂先側端面が閉塞される蓋付き円筒型の本体部２と、本体部２の竿元側の開口周縁の一部が竿元側に軸方向に延伸してなる延伸部３と、延伸部３に配置されるゴムバンド４と、本体部２の側面に取り付けられた連結部５とを有している。
【００１５】
本体部２は、内部に様々な径の釣竿の元竿１の穂先側を収納可能な程度の内径を有するように汎用設計された、径方向の一方向に膨らんでいる変形した円筒型部材である。透明または半透明の合成樹脂から構成するのが好ましい。閉塞された穂先側の端部には、緩衝材としてスポンジ素材などを配置してもよい。
延伸部３は、本体部２の竿元側の開口周縁部分の一部分が竿元側に伸びた部分であり、上述の本体部２と一体的に形成される。詳しくは、本体部２の径方向の一方に膨らんで変形した側と周方向に於いて１８０度変位する側の一部分が、竿元側に延びて延伸部３となっている。その幅方向断面が本体部２に沿って湾曲する略矩形状の部分である。なお、この延伸部３の竿元側の周面には、係止ピン３ａが起立して形成されている。
【００１６】
ゴムバンド４は、延伸部３の係止ピン３が形成されている部分に一端が固定され他端が自由となるように周方向に向かって配置された弾性ゴム部材である。他端側には係止孔４ａが形成されている。この係止孔４ａが延伸部３の係止ピン３ａにはめ込まれて脱着自在に係止可能となっている。
連結部５は、本体部２の穂先側の周面に、詳しくは、本体部２の径方向の一方に膨らんで変形した側と周方向に於いて１８０度変位する側に設けられる。この連結部５は、本体部２の軸方向を長手方向として延びる平面上に配置される面ファスナ６と、面ファスナ６の配置されている本体部２の周面に一端が固定され他端が自由となるように周方向に向かって配置された連結用ゴムバンド７とからなる。
【００１７】
この面ファスナ６は、例えば、ある１つのトップカバー１にはオスの面ファスナ６が、他のトップカバー１にはメスの面ファスナ６を取り付ける。なお、この面ファスナ６が装着される本体部２の平面は、延伸部３の係止ピン３の高さと同程度の高さをもって設定する必要がある。一方、連結用ゴムバンド７は、例えば、自由端となっている他端側の端部の裏面に面ファスナを貼り付け、この面ファスナを連結用ゴムバンド７の表面に貼り付け可能とする。ゴムバンド７の長手方向長さは、少なくとも、２つの本体部２の周方向長さの２倍以上の長さを有するように設定する。
【００１８】
このように構成されるトップカバー１は、以下の様な手順で釣竿の元竿Ｒ１に取り付けられ固定される。
まず、各種竿体Ｒ２を内部に収納した元竿Ｒ１の穂先側端部を本体部２内に開口から挿入する。スライド式の釣糸ガイド等も本体部２内に収納される。その後、ゴムバンド４を元竿Ｒ１の外周に回巻して係止孔４ａを係止ピン３ａに取り付ける。こうして、元竿Ｒ１内に収納した他の竿体Ｒ２が穂先側に飛び出してしまうのを防止すると共に元竿Ｒ１及び竿体２Ｒの穂先側端面の損傷も防止する。
【００１９】
このようにして、釣竿Ｒにトップカバー１を装着した後に、複数の釣竿Ｒ間において、以下のようにして、トップカバー１同士を連結する。まず、２つのトップカバー１に於いて、それぞれのトップカバー１の連結部５の面ファスナ６同士を向き合わせて貼り合わせる。さらに、トップカバー１の連結用ゴムバンド７を一対のトップカバー１の本体部２の周面に巻き付けて固定する。連結用ゴムバンド７は何れかのトップカバー１の連結用ゴムバンド７のみを用いても良いし、連結するそれぞれのトップカバー１の連結用ゴムバンド７を両方とも用いても良い。このように釣竿Ｒにトップカバー１を装着した後において、釣人が必要に応じて、トップカバー１同士を連結することで、釣竿をまとめて持ち運ぶことが容易になる。
【００２０】
なお、ここでは、釣竿Ｒ同士を連結する場合を例示しているが、例えば、玉網の柄を構成する筒状体を振出形式に収納し、トップカバーを装着した後に、玉網の柄と釣竿とをトップカバーによって連結することも可能である。
さらに、この実施形態では、連結部５として、面ファスナ６と連結用ゴムバンド７とを併用しているが、何れか一方のみを利用しても足りる。
【００２１】
例えば、面ファスナ６のみを用いる変形例としては、図２に示すようなものを例示できる。この場合、トップカバー１同士を安定した状態で相互に連結するために、面ファスナ６は本体部２の軸長方向に長く延びているのが好ましい。
［第２実施形態］
以下、本発明の第２実施形態について図面を参照しつつ説明する。
【００２２】
図３に示すように、このトップカバー群は、一対のトップカバー１１，１２とからなる。それぞれのトップカバー１１，１２は、上記第１実施形態と同様に、釣竿Ｒの穂先側に装着されるカバーである。
トップカバー１１，１２は、それぞれ、上記第１実施形態と同様に、穂先側端面が閉塞される蓋付き円筒型の本体部２２と、本体部２２の竿元側の開口周縁の一部が竿元側に軸方向に延伸してなる延伸部２３と、延伸部２３に配置されるゴムバンド２４と、本体部２２の側面に取り付けられた連結部２５とを有している。
【００２３】
連結部２５は、トップカバー１１とトップカバー１２とで異なるタイプのものが用いられる。
一方のトップカバー１１の連結部２５ａは本体部２２の穂先側から竿元側に延びるクリップである。竿元側の端部には係止用の突起などを形成してもよい。このクリップは本体部２２と一体的に形成される。他方のトップカバー１２の連結部２５ｂは、上述のクリップを穂先側から挿入可能なように軸長方向に延びる受け部である。これらの連結部２５ａ、２５ｂは、それぞれ本体部２２の延伸部２３が形成される側と周方向に１８０度変位する側に形成するのが好ましい。
【００２４】
このトップカバー１１，１２に於いても、上記第１実施形態と同様にして、釣竿Ｒにトップカバー１１，１２を装着した後に、一方の連結部２５ａであるクリップを他方の連結部２５ｂである受け部に挿着して、トップカバー１１，１２を連結する。
【００２５】
【発明の効果】
本発明のトップカバーによれば、釣竿若しくは玉網の柄を相互に連結することができ、釣竿若しくは玉網の柄の運搬が容易になる。
【図面の簡単な説明】
【図１】本発明の第１実施形態に係るトップカバーを示した図。
【図２】図１のトップカバーの変形例を示した図。
【図３】本発明の第２実施形態に係るトップカバー群を示した図。
【符号の説明】
２，２２  本体部
３，２３  延伸部
４，２４  ゴムバンド
５，２５  連結部
【図１】
2004329052.tif 000003
【図２】
2004329052.tif 000004
【図３】
2004329052.tif 000005